(57)【要約】【課題】  カラー読取が可能な画像処理装置において、読取モードに応じて読み取った画像を処理するときに、ユーザが無駄な処理をする必要がない画像処理装置を提供することを目的とするものである。【解決手段】  原稿を読み取る読取手段と、上記読取手段で原稿を読み取るときに、カラーモードで読み取るか、モノクロモードで読み取るかを選択する読取モード選択手段と、上記読取手段が読み取ったデータまたはコマンドを、外部処理装置に転送するデータ転送手段と、上記外部処理装置と接続するインタフェース手段と、上記読取モード選択手段がカラーモードを選択した場合、上記読取手段が読み取ったデータを詳細に処理するアプリケーションソフトを起動させるコマンドを、上記データ転送手段が上記外部処理装置に転送する画像処理装置である。【選択図】  図１
2005215759.tif 000002
【特許請求の範囲】
【請求項１】
原稿を読み取る読取手段と；
上記読取手段で原稿を読み取るときに、カラーモードで読み取るか、モノクロモードで読み取るかを選択する読取モード選択手段と；
上記読取手段が読み取ったデータまたはコマンドを、外部処理装置に転送するデータ転送手段と；
上記外部処理装置と接続するインタフェース手段と；
上記読取モード選択手段がカラーモードを選択した場合、上記読取手段が読み取ったデータを詳細に処理するアプリケーションソフトを起動させるコマンドを、上記データ転送手段が、上記外部処理装置に転送することを特徴とする画像処理装置。
【発明の詳細な説明】
【技術分野】
【０００１】
本発明は、デバイス本体のスキャンボタンを押すだけで、原稿のスキャンが可能なワンタッチスキャン機能に関するものである。
【背景技術】
【０００２】
従来の画像処理装置において、コピー、スキャン、ファイル、Ｅメール用の各ボタンを、機能別にデバイスに配置している（たとえば、非特許文献１、非特許文献２参照）。
【０００３】
上記従来の画像処理装置において、カラーキーとモノクロキーとを持たせているが、カラー・モノクロ別にスキャンするモードを切り分けることができる画像処理装置はなく、読み取ったデータを、ＰＣ等の外部処理装置に転送し、上記外部処理装置で読取データを処理するアプリケーションソフトにおいても、カラー・モノクロの区別がなく、同一のアプリケーションソフトを起動させている。
【非特許文献１】「ＢＪプリンタ総合カタログ」，キヤノン株式会社，２００３年４月現在版，ｐ．３０
【非特許文献２】「ＢＪプリンタ複合機総合カタログ」，キヤノン株式会社，２００３年４月現在版，ｐ．５
【発明の開示】
【発明が解決しようとする課題】
【０００４】
しかし、上記従来例において、たとえば、カラーキー押下時に、高解像度カラーで原稿を読み取り、Ｐｈｏｔｏ系のアプリケーションソフトを起動させたいが、この場合に、モノクロ画像をＯＣＲ処理するアプリケーションソフトと関連付けられていれば、専用のＰＨＯＴＯ処理用のアプリケーションソフトを、別途起動する必要がある。このように、ＰＨＯＴＯ処理用のアプリケーションソフトを別途起動する操作は、ユーザにとって不便であるという問題がある。
【０００５】
つまり、上記従来例では、カラー読取が可能な画像処理装置において、読取モードに応じて読み取った画像を処理するときに、ユーザが無駄な処理をする必要があるという問題がある。
【０００６】
本発明は、カラー読取が可能な画像処理装置において、読取モードに応じて読み取った画像を処理するときに、ユーザが無駄な処理をする必要がない画像処理装置を提供することを目的とするものである。
【課題を解決するための手段】
【０００７】
本発明は、原稿を読み取る読取手段と、上記読取手段で原稿を読み取るときに、カラーモードで読み取るか、モノクロモードで読み取るかを選択する読取モード選択手段と、上記読取手段が読み取ったデータまたはコマンドを、外部処理装置に転送するデータ転送手段と、上記外部処理装置と接続するインタフェース手段と、上記読取モード選択手段がカラーモードを選択した場合、上記読取手段が読み取ったデータを詳細に処理するアプリケーションソフトを起動させるコマンドを、上記データ転送手段が上記外部処理装置に転送する画像処理装置である。
【発明の効果】
【０００８】
本発明によれば、カラーキー押下時に、高解像度カラーで原稿を読み取り、Ｐｈｏｔｏ系のアプリケーションソフトでスキャンした画像を開き、一方、モノクロキー押下時に、モノクロで原稿を読み取り、自動的にＯＣＲ処理を行うように、カラーキー押下時と、モノクロキー押下時とで、ユーザの望むスキャンのモードを切り替えることができるという効果を奏する。
【発明を実施するための最良の形態】
【０００９】
発明を実施するための最良の形態は、次の実施例である。
【実施例１】
【００１０】
図１は、本発明の実施例１であるＭＦＰ（Ｍｕｌｔｉ  ｆｕｎｃｔｉｏｎ  Ｐｅｒｉｐｈｅｒａｌ）１０の制御構成を示すブロック図である。
【００１１】
ＭＦＰ１０は、画像処理装置の例であり、プリンタ３と、スキャナ４と、ＵＳＢ  ＩＦ５と、ＣＰＵ６と、メモリ７と、ディスプレイ８とを有する。
【００１２】
ＰＣ２０は、ＭＦＰ１０に接続することによって、スキャン機能を実現する。
【００１３】
プリンタ３と、スキャナ４とによって、ＭＦＰ１０の主要機能であるプリント・スキャン機能を実現する。ＭＦＰ１０は、ＵＳＢ  ＩＦ５を介して、ＰＣ２０と接続される。ＣＰＵ６は、メモリ７とともに画処理等を行う。ディスプレイ８は、ユーザがデバイスを操作するためのオペレーションパネルおよびディスプレイである。
【００１４】
ＰＣ２０には、スキャナドライバ２１とアプリケーションソフトウエア２２とがインストールされ、ユーザは、これらのソフトを使用して、ＭＦＰ１０の原稿をスキャンする。
【００１５】
図２は、ＭＦＰ１０の外観を示す図である。
【００１６】
ＭＦＰ１０は、オペレーションパネル部３０を有する。
【００１７】
図３は、ＭＦＰ１０に設けられているオペレーションパネル部３０を示す図である。
【００１８】
オペレーションパネル部３０は、カラースタートボタン３１とモノクロスタートボタン３２とを有する。
【００１９】
カラースタートボタン３１と、モノクロスタートボタン３２とは、ＰＣ２０にインストールされたアプリケーションに対応している。この対応関係は、ＭＦＰ１０内で記憶し、ＭＦＰ１０からコマンドを出力し、直接対応するアプリケーションの起動をかけるようにする。また、ＰＣ２０内の管理用アプリケーションが、上記対応関係を管理し、この管理用アプリケーションが、カラースタートボタン３１とモノクロスタートボタン３２とに対応した専用のアプリケーションの起動をかけるようにしてもよい。
【００２０】
いずれにしても、カラースタートボタン３１またはモノクロスタートボタン３２が押下されると、カラーかモノクロかの情報が、コマンドとして、ＵＳＢ  ＩＦ５経由で、インタラプトとして、ＰＣ２０に伝達され、専用アプリケーションが起動される。
【００２１】
コマンドとしては、カラースタートボタン３１が押下されたときに、’０ｘ００，  ０ｘ００，  ０ｘ００，  ０ｘ００，  ０ｘ００，  ０ｘ００，  ０ｘ００，  ０ｘ００，  ０ｘ００，  ０ｘ００，  ０ｘ００，  ０ｘ００，  ０ｘ００，  ０ｘ００，  ０ｘ００，  ０ｘ０２’、モノクロスタートボタン３２が押下されたときに、’０ｘ００，  ０ｘ００，  ０ｘ００，  ０ｘ００，  ０ｘ００，  ０ｘ００，  ０ｘ００，  ０ｘ００，  ０ｘ００，  ０ｘ００，  ０ｘ００，  ０ｘ００，  ０ｘ００，  ０ｘ００，  ０ｘ００，  ０ｘ０１’等が、ＵＳＢ  ＩＦ５から、ＰＣ２０に転送される。
【００２２】
次に、上記実施例におけるスキャン動作について説明する。
【００２３】
図４は、実施例におけるスキャン動作を示すフローチャートである。
【００２４】
デバイス上のスタートボタンが押下されると（Ｓ１）、スキャンを実行する。押下されたスタートボタンが、カラースタートボタン３１であれば（Ｓ２）、カラー読取モードである旨のコマンドを、ＰＣ２０に送出するとともに、カラー読取動作を行う（Ｓ３）。押下されたスタートボタンが、モノクロスタートボタン３２であれば（Ｓ２）、モノクロ読取モードである旨のコマンドを送出するとともに、モノクロ読取動作を行う（Ｓ４）。
【００２５】
ＭＦＰ１０からコマンドを受けたＰＣ２０は、コマンドを解析し、カラーまたはモノクロの読取動作に対応するアプリケーションを起動する。
【００２６】
カラーとモノクロモードとにおける読取動作の詳細は、公知の技術であるので、その説明を省略する。
【００２７】
なお、スキャナ装置等、ＭＦＰ（Ｍｕｌｔｉ  ｆｕｎｃｔｉｏｎ  Ｐｅｒｉｐｈｅｒａｌ）１０以外の画像処理装置に、上記実施例を適用するようにしてもよい。
【図面の簡単な説明】
【００２８】
【図１】本発明の実施例１であるＭＦＰ（Ｍｕｌｔｉ  ｆｕｎｃｔｉｏｎ  Ｐｅｒｉｐｈｅｒａｌ）１０の制御構成を示すブロック図である。
【図２】ＭＦＰ１０の外観を示す図である。
【図３】ＭＦＰ１０に設けられているオペレーションパネル部３０の外観を示す図である。
【図４】実施例におけるスキャン動作を示すフローチャートである。
【符号の説明】
【００２９】
１０…ＭＦＰ、
３…プリンタ、
４…スキャナ、
５…ＵＳＢ  ＩＦ、
６…ＣＰＵ、
７…メモリ、
８…ディスプレイ、
２０…ＰＣ、
３０…オペレーションパネル部、
３１…カラースタートボタン、
３２…モノクロスタートボタン。
【図１】
2005215759.tif 000003
【図２】
2005215759.tif 000004
【図３】
2005215759.tif 000005
【図４】
2005215759.tif 000006